(57)【要約】【課題】従来構成の光分岐挿入装置では挿入側インタフェース部の波長が固定されているため、光パスを自由に移設することができない。本発明は、このような問題を解決するために、光レベルでパスの変更が可能な光分岐挿入装置を提供することを目的とする。【解決手段】本発明は、入力ポート及び挿入ポートからの信号光を任意の出力ポート又は分岐ポートに方路変更できる光分岐挿入スイッチと、第一の光伝送路からの波長多重された信号光を波長毎の信号光に分波して前記光分岐挿入スイッチの入力ポートに出力する光分波器と、前記光分岐挿入スイッチの出力ポートからの信号光を合波して第二の光伝送路に送出する光合波器と、方路を設定する光マトリクススイッチと、ネットワークに対してどの波長の信号光で出力するかを設定する波長変換部と、を利用して光レベルでパスの変更を行う。【選択図】  図５
2004153307.tif 000002
【特許請求の範囲】
【請求項１】
入力ポートを出力ポートに結合させるか、又は入力ポートを分岐ポートに、且つ挿入ポートを出力ポートに結合させる光分岐挿入スイッチと、入力ポートを任意の出力ポートに結合させる第一の光マトリクススイッチと、
前記光分岐挿入スイッチの分岐ポートの接続した入力ポートを任意の出力ポートに結合させる第二の光マトリクススイッチと、
第一の光伝送路からの波長多重された信号光を波長毎の信号光に分波して前記光分岐挿入スイッチの入力ポートに出力する光分波器と、
前記光分岐挿入スイッチの出力ポートからの信号光を合波して第二の光伝送路に送出する光合波器と、
光伝送路に送出する信号を光伝送路で伝達される信号光に変換して前記第一の光マトリクススイッチの入力ポートに出力する挿入側インタフェース部と、
前記第一の光マトリクススイッチの出力ポートからの信号光を光伝送路で伝達される任意の波長の信号光に波長変換して前記光分岐挿入スイッチの挿入ポートに出力する波長変換部と、
前記第二の光マトリクススイッチの出力ポートからの信号光を外部に出力する信号に変換する分岐側インタフェース部と、を備える光分岐挿入装置。
【請求項２】
入力ポートを出力ポートに結合させるか、又は入力ポートを分岐ポートに、且つ挿入ポートを出力ポートに結合させる光分岐挿入スイッチと、前記光分岐挿入スイッチの挿入ポートの接続した任意の出力ポートに入力ポートを結合させる第一の光マトリクススイッチと、
前記光分岐挿入スイッチの分岐ポートの接続した入力ポートを任意の出力ポートに結合させる第二の光マトリクススイッチと、
第一の光伝送路からの波長多重された信号光を波長毎の信号光に分波して前記光分岐挿入スイッチの入力ポートに出力する光分波器と、
前記光分岐挿入スイッチの出力ポートからの信号光を合波して第二の光伝送路に送出する光合波器と、
光伝送路に送出する信号を光伝送路で伝達される信号光に変換して出力する挿入側インタフェース部と、
該挿入側インタフェース部からの信号光を光伝送路で伝達される任意の波長の信号光に波長変換して前記第一の光マトリクススイッチの入力ポートに出力する波長変換部と、
前記第二の光マトリクススイッチの出力ポートからの信号光を外部に出力する信号に変換する分岐側インタフェース部と、を備える光分岐挿入装置。
【請求項３】
入力ポートを出力ポートに結合させるか、又は入力ポートを分岐ポートに、且つ挿入ポートを出力ポートに結合させる光分岐挿入スイッチと、前記光分岐挿入スイッチの挿入ポートの接続した任意の出力ポートに入力ポートを結合させる第一の光マトリクススイッチと、
前記光分岐挿入スイッチの分岐ポートの接続した入力ポートを任意の出力ポートに結合させる第二の光マトリクススイッチと、
第一の光伝送路からの波長多重された信号光を波長毎の信号光に分波して前記光分岐挿入スイッチの入力ポートに出力する光分波器と、
前記光分岐挿入スイッチの出力ポートからの信号光を合波して第二の光伝送路に送出する光合波器と、
光伝送路に送出する信号を光伝送路で伝達される信号光であって任意の波長で前記第一のマトリクススイッチの入力ポートに出力する挿入側信号変換部と、
前記第二の光マトリクススイッチの出力ポートからの信号光を外部に出力する信号に変換する分岐側インタフェース部と、を備える光分岐挿入装置。
【請求項４】
請求項１乃至３に記載の光分岐挿入装置において、
前記第一の光マトリクススイッチの入力ポートの数が出力ポートの数よりも少なく、且つ前記第二の光マトリクススイッチの出力ポートの数が入力ポートの数よりも少ないことを特徴とする光分岐挿入装置。
【請求項５】
請求項１乃至４に記載の光分岐挿入装置において、
前記第一の光マトリクススイッチ又は／及び第二の光マトリクススイッチが、２次元ＭＥＭＳ又は３次元ＭＥＭＳで構成されていることを特徴とする光分岐挿入装置。
【請求項６】
請求項１乃至４に記載の光分岐挿入装置において、
前記第一の光マトリクススイッチ又は／及び第二の光マトリクススイッチが、石英導波路型光スイッチで構成されていることを特徴とする光分岐挿入装置。
【請求項７】
請求項１乃至４に記載の光分岐挿入装置において、
前記第一の光マトリクススイッチ又は／及び第二の光マトリクススイッチが、導波路がクロス状に交叉された叉点であって、信号光を通過させるか、又は交叉する導波路に結合させるかを切り替える叉点を有することを特徴とする光分岐挿入装置。
【発明の詳細な説明】
【０００１】
【発明の属する技術分野】
本発明は、波長多重ネットワークにおいて信号光を挿抜する光分岐挿入装置に関する。
【０００２】
【従来の技術】
光分岐挿入装置の適用される光分岐挿入型リングネットワークの構成を図１に示す。図１において、８１は光分岐挿入装置、８２は各光分岐挿入装置を接続する光伝送路、８３はネットワークの外から各光分岐挿入装置にアクセスする光又は電気の挿入側信号、８４は各光分岐挿入装置からネットワークの外に送出される光又は電気の分岐側信号である。複数の光分岐挿入装置８１は光伝送路８２で接続され、リングネットワークを構成している。
【０００３】
光分岐挿入装置８１に入力された光又は電気の挿入側信号は、当該光分岐挿入装置８１においてネットワーク内を伝達するのに適切な信号光に変換された後、波長多重された信号光として光伝送路８２に送出される。当該波長多重された信号光は光伝送路８２を伝達して隣接する光分岐挿入装置に入力する。当該隣接する光分岐挿入装置では、当該波長多重された信号光から目的の信号光が分波され、分岐側信号８３として出力される。図１では、光伝送路の向きは反時計回りだけが記載されているが、信頼性向上のために、時計回りの光伝送路も用いたネットワークもある。
【０００４】
従来の光分岐挿入装置の構成（例えば、特許文献１参照。）を図２に示す。図２は片方向回りの光伝送路を使用する場合の装置構成を示している。図２において、８３はネットワークの外から各光分岐挿入装置にアクセスする光又は電気の挿入側信号、８４は各光分岐挿入装置からネットワークの外に送出される光又は電気の分岐側信号、９１は隣接する光分岐挿入装置からの波長多重された信号光を伝達する光伝送路、９２は波長多重された信号光を分離する光分波器、９３は光信号を挿入したり分岐したりする光分岐挿入スイッチ、９４は異なる波長の信号光を波長多重する光合波器、９５は隣接する光分岐挿入装置に波長多重された信号光を伝達する光伝送路、９６はネットワークの外から入力される信号を、ネットワークを伝達する光信号に変換する挿入側インタフェース部、９７はネットワーク内を伝達する信号光をネットワークの外に出力する分岐側インタフェース部である。
【０００５】
光分岐挿入スイッチ９３−１乃至９３−４は２×２の光分岐挿入スイッチである。その構成を図３に示す。図３において、９３は光分岐挿入スイッチ、９８−１は入力ポート、９８−２は挿入ポート、９８−３は出力ポート、９８−４は分岐ポートである。この光分岐挿入スイッチは２つの結合状態を持つ。即ち、ｔｈｒｏｕｇｈ結合とａｄｄ  ＆  ｄｒｏｐ結合である。ｔｈｒｏｕｇｈ結合では入力ポート９８−１と出力ポート９８−３が結合され、ａｄｄ  ＆  ｄｒｏｐ結合では挿入ポート９８−２と出力ポート９８−３とが結合され、入力ポート９８−１と分岐ポート９８−４とが結合される。
【０００６】
図２において、各光分岐挿入スイッチ９３の入力ポートには、光分波器９２の出力線が接続され、挿入ポートには挿入側インタフェース部９６が接続される。挿入側インタフェース部９６には挿入側信号８３が入力される。各光分岐挿入スイッチ９３の出力ポートは、光合波器９４の入力線に接続され、分岐ポートは、分岐側インタフェース部９７に接続される。分岐側インタフェース部９７からは分岐側信号８４が出力される。
【０００７】
波長多重された信号光が第一の光伝送路９１を介して、光分岐挿入装置に入力されると、必要な場合は前置増幅器によって増幅される。ここでは、前置増幅器は図示していない。増幅された信号光は光分波器９２によって個々の波長の信号光に分離される。分離された信号光は、その波長に従って光分岐挿入スイッチ９３の１つに入力される。光分岐挿入スイッチ９３がｔｈｒｏｕｇｈ結合のときは、入力された信号光は光合波器９４に出力され、他の光分岐挿入スイッチからの信号光と多重されて、第二の光伝送路９５に送信される。必要であれば、後置光増幅器で増幅される。ここでは、後置増幅器は図示していない。光分岐挿入スイッチ９３がａｄｄ  ＆  ｄｒｏｐ結合のときは、光分波器９２から光分岐挿入スイッチ９３に入力された信号光は分岐側インタフェース部９７に出力され、ネットワークの外に伝達される。また、挿入側インタフェース部９６から光分岐挿入スイッチ９３に入力された信号光は、光合波器９４に出力され、他の光分岐挿入スイッチからの信号光と多重されて、第二の光伝送路９５に送信される。
【０００８】
光分波器９２の各出力線から出力される信号光の波長、及び光合波器９４の各入力線に入力される信号光の波長は固定されており、固定された波長以外の波長を持つ信号光は伝達することができない。例えば、図２において光分岐挿入スイッチ９３−１に接続する光分波器９２の出力線からの信号光の波長をλ１とすれば、光分岐挿入スイッチ９３−１が接続する光合波器９４の入力線に入力できる信号光の波長はλ１でなければならないため、光分岐挿入スイッチ９３−１を介して分岐挿入できる信号光の波長はλ１に限定され、他の波長は分岐挿入することができない。λ１と異なる波長の信号光は該当する光分岐挿入スイッチ９３を介して分岐挿入されなければならない。従って、それぞれの挿入側インタフェース部９６から光分岐挿入スイッチ９３に出力する信号光の波長は、接続する光分岐挿入スイッチによって決定され、それ以外の波長に変更することは不可能である。
【０００９】
ネットワーク内の光分岐挿入装置間に新規に光パスを設定する場合に、当該光分岐挿入装置間を結ぶ経路の途中にある既設の光パスの波長を変更することが必要な場合がある。光パスの変更例を図４に示す。図４はλ１乃至λ４の波長を収容可能なリングネットワークの一部を示している。図４において、８１−１乃至８１−４は光分岐挿入装置、白丸は光パスの始点、黒丸は光パスの終点である。図４（１）では、光分岐挿入装置８１−１から８１−３までλ１の光パス、光分岐挿入装置８１−２から８１−３までλ２の光パス、光分岐挿入装置８１−２から８１−４までλ３の光パス、光分岐挿入装置８１−３から８１−４までλ４の光パスが設定さている。この状態では光分岐挿入装置８１−１から８１−４まで新規に光パスを設定する余裕がない。そこで、図４（２）に示すように、光分岐挿入装置８１−３と８１−４を接続している波長λ４の光パスを、当該区間で未使用となっている波長λ２の光パスに移設することにより、光分岐挿入装置８１−１から８１−４までの光パスを確保できる。その結果、図４（３）に示すように、光分岐挿入装置８１−１から８１−４まで波長λ４の光パスを設定することができる。
【００１０】
しかし、既設の光パスを異なる波長に移設する必要が生じた場合に、従来構成の光分岐挿入装置では挿入側インタフェース部の波長が固定されているため、光パスを移設することができない。実効的に信号の流れを変更するためには、挿入側インタフェース部の前段と分岐側インタフェース部の後段に、電気信号で行うクロスコネクト機能を新設して、電気信号でパスの入れ替えを行わなければならない。しかし、近年は信号光の速度が高速であり、高速の時間スイッチや空間スイッチの実現が困難であるため、高速の電気信号でクロスコネクト機能を実現することができない。電気信号でクロスコネクトを行う替わりに、手動で接続線を変更することも考えられる。しかし、手動変更では遠隔制御もできず、また、ネットワークの制御保守に多大の稼動を要する。
【００１１】
【特許文献１】
特開２０００−３５４００６号公報  （第（７）頁〜第（８）頁、第１図）
【００１２】
【発明が解決しようとする課題】
本発明は、このような問題を解決するために、光レベルでパスの変更が可能な光分岐挿入装置を提供することを目的とする。
【００１３】
【課題を解決するための手段】
前述した目的を達成するために、本願第一発明は、入力ポートを出力ポートに結合させるか、又は入力ポートを分岐ポートに、且つ挿入ポートを出力ポートに結合させる光分岐挿入スイッチと、入力ポートを任意の出力ポートに結合させる第一の光マトリクススイッチと、前記光分岐挿入スイッチの分岐ポートの接続した入力ポートを任意の出力ポートに結合させる第二の光マトリクススイッチと、第一の光伝送路からの波長多重された信号光を波長毎の信号光に分波して前記光分岐挿入スイッチの入力ポートに出力する光分波器と、前記光分岐挿入スイッチの出力ポートからの信号光を合波して第二の光伝送路に送出する光合波器と、光伝送路に送出する信号を光伝送路で伝達される信号光に変換して前記第一の光マトリクススイッチの入力ポートに出力する挿入側インタフェース部と、前記第一の光マトリクススイッチの出力ポートからの信号光を光伝送路で伝達される任意の波長の信号光に波長変換して前記光分岐挿入スイッチの挿入ポートに出力する波長変換部と、前記第二の光マトリクススイッチの出力ポートからの信号光を外部に出力する信号に変換する分岐側インタフェース部と、を備える光分岐挿入装置である。
【００１４】
本願第二発明は、入力ポートを出力ポートに結合させるか、又は入力ポートを分岐ポートに、且つ挿入ポートを出力ポートに結合させる光分岐挿入スイッチと、前記光分岐挿入スイッチの挿入ポートの接続した任意の出力ポートに入力ポートを結合させる第一の光マトリクススイッチと、前記光分岐挿入スイッチの分岐ポートの接続した入力ポートを任意の出力ポートに結合させる第二の光マトリクススイッチと、第一の光伝送路からの波長多重された信号光を波長毎の信号光に分波して前記光分岐挿入スイッチの入力ポートに出力する光分波器と、前記光分岐挿入スイッチの出力ポートからの信号光を合波して第二の光伝送路に送出する光合波器と、光伝送路に送出する信号を光伝送路で伝達される信号光に変換して出力する挿入側インタフェース部と、該挿入側インタフェース部からの信号光を光伝送路で伝達される任意の波長の信号光に波長変換して前記第一の光マトリクススイッチの入力ポートに出力する波長変換部と、前記第二の光マトリクススイッチの出力ポートからの信号光を外部に出力する信号に変換する分岐側インタフェース部と、を備える光分岐挿入装置である。
【００１５】
本願第三発明は、入力ポートを出力ポートに結合させるか、又は入力ポートを分岐ポートに、且つ挿入ポートを出力ポートに結合させる光分岐挿入スイッチと、前記光分岐挿入スイッチの挿入ポートの接続した任意の出力ポートに入力ポートを結合させる第一の光マトリクススイッチと、前記光分岐挿入スイッチの分岐ポートの接続した入力ポートを任意の出力ポートに結合させる第二の光マトリクススイッチと、第一の光伝送路からの波長多重された信号光を波長毎の信号光に分波して前記光分岐挿入スイッチの入力ポートに出力する光分波器と、前記光分岐挿入スイッチの出力ポートからの信号光を合波して第二の光伝送路に送出する光合波器と、光伝送路に送出する信号を光伝送路で伝達される信号光であって任意の波長で前記第一のマトリクススイッチの入力ポートに出力する挿入側信号変換部と、前記第二の光マトリクススイッチの出力ポートからの信号光を外部に出力する信号に変換する分岐側インタフェース部と、を備える光分岐挿入装置である。
【００１６】
本願第四発明は、本願第一乃至第三発明の光分岐挿入装置において、前記第一の光マトリクススイッチの入力ポートの数が出力ポートの数よりも少なく、且つ前記第二の光マトリクススイッチの出力ポートの数が入力ポートの数よりも少ないことを特徴とする光分岐挿入装置である。
【００１７】
本願第五発明は、本願第一乃至第四発明の光分岐挿入装置において、前記第一の光マトリクススイッチ又は／及び第二の光マトリクススイッチが、２次元ＭＥＭＳ又は３次元ＭＥＭＳで構成されていることを特徴とする光分岐挿入装置である。
【００１８】
本願第六発明は、本願第一乃至第四発明の光分岐挿入装置において、前記第一の光マトリクススイッチ又は／及び第二の光マトリクススイッチが、石英導波路型光スイッチで構成されていることを特徴とする光分岐挿入装置である。
【００１９】
本願第七発明は、本願第一乃至第四発明の光分岐挿入装置において、前記第一の光マトリクススイッチ又は／及び第二の光マトリクススイッチが、導波路がクロス状に交叉された叉点であって、信号光を通過させるか、又は交叉する導波路に結合させるかを切り替える叉点を有することを特徴とする光分岐挿入装置である。
【００２０】
【発明の実施の形態】
以下、本願発明の実施の形態について、添付の図面を参照して説明する。
（実施の形態１）
本発明の実施の形態である光分岐挿入装置の構成を図５に示す。図５は、信号光伝達の片方向分の光分岐挿入装置の構成である。図５において、１１は隣接する光分岐挿入装置からの波長多重された信号光が伝達される第一の光伝送路、１２は波長多重された信号光を分離する光分波器、１３はｔｈｒｏｕｇｈ結合かａｄｄ  ＆  ｄｒｏｐ結合かを選択できる図３に示す光分岐挿入スイッチ、１４は波長の異なる信号光を波長多重する光合波器、１５は隣接する光分岐挿入装置に向かって波長多重された信号光を伝達する第二の光伝送路、１６はネットワークの外から入力される信号を光伝送路で伝達される信号光に変換する挿入側インタフェース部、１７はネットワークからの信号光をネットワークの外に出力する信号に変換する分岐側インタフェース部、２０は信号光を光伝送路で伝達される任意の波長の信号光に波長変換する波長変換部、２１は第一の光マトリクススイッチ、２２は第二の光マトリクススイッチである。第一の光マトリクススイッチ２１と第二の光マトリクススイッチ２２はノンブロッキングのｎ×ｎマトリクス構成あるいはこれと等価な構成であり、そのクロスポイントの切替は外部の制御装置から制御できる。波長変換部２０の変換する波長も外部の制御装置から制御できる。
【００２１】
図５において、第一の光伝送路１１を伝達してきた波長多重信号光は、光分波器１２で波長毎に分波して出力線から出力される。一方、挿入側インタフェース部１６に入力された挿入側信号は光伝送路で伝達される信号光に変換される。変換された信号光は第一のマトリクススイッチ２１で所定の波長変換部２０に方路設定される。波長変換部２０は接続される光分岐挿入スイッチ１３に応じて変換する波長が設定されている。つまり、挿入側インタフェース部１６からの信号光をどの波長に変換するかによって、第一の光マトリクススイッチ２１の入力ポートと出力ポートの結合を制御する。光分波器１２から出力された信号光は、波長に応じて光分岐挿入スイッチ１３の入力ポートに入力され、波長変換部２０から出力された信号光も、波長に応じて光分岐挿入スイッチ１３の挿入ポートに出力される。光分岐挿入スイッチ１３がｔｈｒｏｕｇｈ結合のときは、入力ポートからの信号光は出力ポートを経て光合波器１４の入力線に出力される。光分岐挿入スイッチ１３がａｄｄ  ＆  ｄｒｏｐ結合のときは、入力ポートからの信号光は分岐ポートを経て第二の光マトリクススイッチ２２に出力され、挿入ポートからの信号光は出力ポートを経て光合波器１４の入力線に出力される。光合波器１４に入力された光分岐挿入スイッチ１３の出力ポートからの信号光はそれぞれ異なる波長のため、これらの信号光は合波されて第二の光伝送路１５に送出される。第二の光マトリクススイッチ２２に入力された光分岐挿入スイッチ１３からの信号光は、光マトリクススイッチ２２で入力ポートから出力ポートへの結合が制御されて所定の分岐側インタフェース部１７に出力される。分岐側インタフェース部１７では分岐側信号に変換して出力する。
【００２２】
このような構成とすることにより、第一の光マトリクススイッチ２１と波長変換部２０によって、挿入側信号を任意の波長で挿入して送信することができ、又、第二の光マトリクススイッチ２２によって、伝送路を伝達してきた信号光を任意の分岐側インタフェース部１７から分岐側信号として出力することができる。
【００２３】
ここでは、光分波器１２の出力線数、光合波器１４の入力線数、挿入側インタフェース部１６の数、分岐側インタフェース部１７の数、波長変換部２０の数、光分岐挿入スイッチ１３の数はそれぞれ同じ４としている。この結果、光分波器１２の総ての出力線からの信号光を光合波器１４の入力線に出力することが可能であり、さらに、総ての挿入側インタフェース部１６からの信号光を波長変換して光合波器１４の入力線に出力し、光分波器１２の総ての出力線からの信号光を分岐側インタフェース部１７から出力することが可能となる。なお、発明の実施は、この数に限定されるものではない。
【００２４】
従って、本実施の形態の光分岐挿入装置では、光レベルで自由にパスの設定を行うことができるため、制御装置からの遠隔制御により光パスの設定、変更が可能となり、ネットワークの制御保守稼動を軽減することができた。
【００２５】
（実施の形態２）
本発明の実施の形態である光分岐挿入装置の構成を図６に示す。図６は、信号光伝達の片方向分の光分岐挿入装置の構成である。図６において、１１は隣接する光分岐挿入装置からの波長多重された信号光が伝達される第一の光伝送路、１２は波長多重された信号光を分離する光分波器、１３はｔｈｒｏｕｇｈ結合かａｄｄ  ＆  ｄｒｏｐ結合かを選択できる図３に示す光分岐挿入スイッチ、１４は波長の異なる信号光を波長多重する光合波器、１５は隣接する光分岐挿入装置に向かって波長多重された信号光を伝達する第二の光伝送路、１６はネットワークの外から入力される信号を光伝送路で伝達される信号光に変換する挿入側インタフェース部、１７はネットワークからの信号光をネットワークの外に出力する信号に変換する分岐側インタフェース部、２０は信号光を光伝送路で伝達される任意の波長の信号光に波長変換する波長変換部、２１は第一の光マトリクススイッチ、２２は第二の光マトリクススイッチである。第一の光マトリクススイッチ２１と第二の光マトリクススイッチ２２はノンブロッキングのｎ×ｎマトリクス構成あるいはこれと等価な構成であり、そのクロスポイントの切替は外部の制御装置から制御できる。波長変換部２０の変換する波長も外部の制御装置から制御できる。
【００２６】
図６において、第一の光伝送路１１を伝達してきた波長多重信号光は、光分波器１２で波長毎に分波して出力線から出力される。一方、挿入側インタフェース部１６に入力された挿入側信号は光伝送路で伝達される信号光に変換されて出力される。出力された信号光は波長変換部２０で所定の波長に変換されて第一の光マトリクススイッチ２１に出力される。第一のマトリクススイッチ２１で波長に応じて所定の出力ポートに方路設定され、光分岐挿入スイッチ１３に出力される。つまり、挿入側インタフェース部１６からの信号光をどの波長に変換するかによって、波長変換部２０の変換する波長を制御し、第一の光マトリクススイッチ２１の入力ポートと出力ポートの結合を制御する。光分波器１２から出力された信号光は、波長に応じて光分岐挿入スイッチ１３の入力ポートに入力され、波長変換部２０から出力された信号光も、波長に応じて光分岐挿入スイッチ１３の挿入ポートに出力される。光分岐挿入スイッチ１３がｔｈｒｏｕｇｈ結合のときは、入力ポートからの信号光は出力ポートを経て光合波器１４の入力線に出力される。光分岐挿入スイッチ１３がａｄｄ  ＆  ｄｒｏｐ結合のときは、入力ポートからの信号光は分岐ポートを経て第二の光マトリクススイッチ２２に出力され、挿入ポートからの信号光は出力ポートを経て光合波器１４の入力線に出力される。光合波器１４に入力された光分岐挿入スイッチ１３の出力ポートからの信号光はそれぞれ異なる波長のため、これらの信号光は合波されて第二の光伝送路１５に送出される。第二の光マトリクススイッチ２２に入力された光分岐挿入スイッチ１３からの信号光は、光マトリクススイッチ２２で入力ポートから出力ポートへの結合が制御されて所定の分岐側インタフェース部１７に出力される。分岐側インタフェース部１７では分岐側信号に変換して出力する。
【００２７】
このような構成とすることにより、第一の光マトリクススイッチ２１と波長変換部２０によって、挿入側信号を任意の波長で挿入して送信することができ、又、第二の光マトリクススイッチ２２によって、伝送路を伝達してきた信号光を任意の分岐側インタフェース部１７から分岐側信号として出力することができる。
【００２８】
ここでは、光分波器１２の出力線数、光合波器１４の入力線数、挿入側インタフェース部１６の数、分岐側インタフェース部１７の数、波長変換部２０の数、光分岐挿入スイッチ１３の数はそれぞれ同じ４としている。この結果、光分波器１２の総ての出力線からの信号光を光合波器１４の入力線に出力することが可能であり、さらに、総ての挿入側インタフェース部１６からの信号光を波長変換して光合波器１４の入力線に出力し、光分波器１２の総ての出力線からの信号光を分岐側インタフェース部１７から出力することが可能となる。なお、発明の実施は、この数に限定されるものではない。また、挿入側インタフェース部１６と波長変換部２０を一体化してもよい。
【００２９】
従って、本実施の形態の光分岐挿入装置では、光レベルで自由にパスの設定を行うことができるため、制御装置からの遠隔制御により光パスの設定、変更が可能となり、ネットワークの制御保守稼動を軽減することができた。
【００３０】
（実施の形態３）
本発明の実施の形態である光分岐挿入装置の構成を図７に示す。図７は、信号光伝達の片方向分の光分岐挿入装置の構成である。図７において、１１は隣接する光分岐挿入装置からの波長多重された信号光が伝達される第一の光伝送路、１２は波長多重された信号光を分離する光分波器、１３はｔｈｒｏｕｇｈ結合かａｄｄ  ＆  ｄｒｏｐ結合かを選択できる図３に示す光分岐挿入スイッチ、１４は波長の異なる信号光を波長多重する光合波器、１５は隣接する光分岐挿入装置に向かって波長多重された信号光を伝達する第二の光伝送路、１７はネットワークからの信号光をネットワークの外に出力する信号に変換する分岐側インタフェース部、１８は光伝送路に送出する信号を光伝送路で伝達される信号光であって任意の波長で出力する挿入側信号変換部、２１は第一の光マトリクススイッチ、２２は第二の光マトリクススイッチである。第一の光マトリクススイッチ２１と第二の光マトリクススイッチ２２はノンブロッキングのｎ×ｎマトリクス構成あるいはこれと等価な構成であり、そのクロスポイントの切替は外部の制御装置から制御できる。挿入側信号変換部１８の変換する波長も外部の制御装置から制御できる。
【００３１】
図７において、第一の光伝送路１１を伝達してきた波長多重信号光は、光分波器１２で波長毎に分波して出力線から出力される。一方、挿入側信号変換部１８に入力された挿入側信号は光伝送路で伝達される信号光であって、所定の波長で第一の光マトリクススイッチ２１に出力される。第一のマトリクススイッチ２１で波長に応じて所定の出力ポートに方路設定され、光分岐挿入スイッチ１３に出力される。つまり、挿入側信号をどの波長で送信するかによって、挿入側信号変換部１８の出力する波長を制御し、第一の光マトリクススイッチ２１の入力ポートと出力ポートの結合を制御する。光分波器１２から出力された信号光は、波長に応じて光分岐挿入スイッチ１３の入力ポートに入力され、挿入側信号変換部１８から出力された信号光も、第一の光マトリクススイッチ２１を経て、波長に応じて光分岐挿入スイッチ１３の挿入ポートに出力される。光分岐挿入スイッチ１３がｔｈｒｏｕｇｈ結合のときは、入力ポートからの信号光は出力ポートを経て光合波器１４の入力線に出力される。光分岐挿入スイッチ１３がａｄｄ  ＆  ｄｒｏｐ結合のときは、入力ポートからの信号光は分岐ポートを経て第二の光マトリクススイッチ２２に出力され、挿入ポートからの信号光は出力ポートを経て光合波器１４の入力線に出力される。光合波器１４に入力された光分岐挿入スイッチ１３の出力ポートからの信号光はそれぞれ異なる波長のため、これらの信号光は合波されて第二の光伝送路１５に送出される。第二の光マトリクススイッチ２２に入力された光分岐挿入スイッチ１３からの信号光は、光マトリクススイッチ２２で入力ポートから出力ポートへの結合が制御されて所定の分岐側インタフェース部１７に出力される。分岐側インタフェース部１７では分岐側信号に変換して出力する。
【００３２】
このような構成とすることにより、挿入側信号変換部１８と第一の光マトリクススイッチ２１によって、挿入側信号を任意の波長で挿入して送信することができ、又、第二の光マトリクススイッチ２２によって、伝送路を伝達してきた信号光を任意の分岐側インタフェース部１７から分岐側信号として出力することができる。
【００３３】
ここでは、光分波器１２の出力線数、光合波器１４の入力線数、分岐側インタフェース部１７の数、挿入側信号変換部１８の数、光分岐挿入スイッチ１３の数はそれぞれ同じ４としている。この結果、光分波器１２の出力線からの総ての信号光を光合波器１４の入力線に出力することが可能であり、さらに、総ての挿入側信号変換部１８からの信号光を光合波器１４の入力線に出力し、光分波器１２の出力線からの総ての信号光を分岐側インタフェース部１７から出力することが可能となる。なお、発明の実施は、この数に限定されるものではない。
【００３４】
従って、本実施の形態の光分岐挿入装置では、光レベルで自由にパスの設定を行うことができるため、制御装置からの遠隔制御により光パスの設定、変更が可能となり、ネットワークの制御保守稼動を軽減することができた。また、実施の形態１、２に比較して、波長変換部を不要とすることができた。
【００３５】
（実施の形態４）
本発明の実施の形態である光分岐挿入装置の構成を図８に示す。図８は、信号光伝達の片方向分の光分岐挿入装置の構成である。図８において、１１は隣接する光分岐挿入装置からの波長多重された信号光が伝達される第一の光伝送路、１２は波長多重された信号光を分離する光分波器、１３はｔｈｒｏｕｇｈ結合かａｄｄ  ＆  ｄｒｏｐ結合かを選択できる図３に示す光分岐挿入スイッチ、１４は波長の異なる信号光を波長多重する光合波器、１５は隣接する光分岐挿入装置に向かって波長多重された信号光を伝達する第二の光伝送路、１６はネットワークの外から入力される信号を光伝送路で伝達される信号光に変換する挿入側インタフェース部、１７はネットワークからの信号光をネットワークの外に出力する信号に変換する分岐側インタフェース部、２０は信号光を光伝送路で伝達される任意の波長の信号光に波長変換する波長変換部、２１は第一の光マトリクススイッチ、２２は第二の光マトリクススイッチである。第一の光マトリクススイッチ２１と第二の光マトリクススイッチ２２はノンブロッキングのｍ×ｎマトリクス構成あるいはこれと等価な構成であり、そのクロスポイントの切替は外部の制御装置から制御できる。波長変換部２０の変換する波長も外部の制御装置から制御できる。
【００３６】
図８で説明する光分岐挿入装置は実施の形態１で説明した光分岐挿入装置と同じ動作をする。即ち、第一の光伝送路１１を伝達してきた信号光と挿入側インタフェース部１６から出力された信号光とのいずれかが光分岐挿入回路１３で選択されて第二の光伝送路１５に送出される。挿入側インタフェース部１６からの信号光が選択されて第二の光伝送路１５に送出されると、第一の光伝送路１１からの信号光は第二の光マトリクススイッチ２２に出力される。波長変換部２０は接続される光分岐挿入スイッチ１３に応じて変換する波長が設定されているため、挿入側インタフェース部１６からの信号光をどの波長に変換するかによって、第一の光マトリクススイッチ２１の入力ポートと出力ポートの結合を制御する。第二の光マトリクススイッチ２２に入力された光分岐挿入スイッチ１３からの信号光は、光マトリクススイッチ２２で入力ポートから出力ポートへの結合が制御されて所定の分岐側インタフェース部１７に出力される。
【００３７】
このような構成とすることにより、第一の光マトリクススイッチ２１と波長変換部２０によって、挿入側信号を任意の波長で挿入して送信することができ、又、第二の光マトリクススイッチ２２によって、伝送路を伝達してきた信号光を任意の分岐側インタフェース部１７から分岐側信号として出力することができる。
【００３８】
実施の形態１における光分岐挿入装置と本実施の形態における光分岐挿入装置との差は、挿入側インタフェース部１６の数及び分岐側インタフェース部１７の数である。つまり、第一の光マトリクススイッチ２１の入力ポートの数は出力ポートの数よりも少なく、また、第二の光マトリクススイッチ２２の出力ポートの数は入力ポートの数よりも少なく構成されている。ネットワークに挿入する信号の数と、ネットワークから分岐する信号の数に制限ができるが、２つの光マトリクススイッチの入力ポートや出力ポートを少なくして規模を小さくすることにより、光マトリクススイッチの低価格化、高信頼化が実現できる。
【００３９】
ここでは、光分波器１２の出力線数、光合波器１４の入力線数、波長変換部２０の数、光分岐挿入スイッチ１３の数はそれぞれ４とし、挿入側インタフェース部１６の数、分岐側インタフェース部１７の数はそれぞれ３としている。この結果、光分波器１２の出力線からの信号光の総てを光合波器１４の入力線に出力することが可能になり、挿入側インタフェース部１６からの信号光のうち３つを波長変換して光合波器１４の入力線に出力し、光分波器１２の出力線からの信号光のうち３つを分岐側インタフェース部１７に出力することが可能になる。なお、発明の実施は、この数に限定されるものではない。
【００４０】
従って、本実施の形態の光分岐挿入装置では、光レベルでパスの設定を行うことができるため、制御装置からの遠隔制御により光パスの設定、変更が可能となり、ネットワークの制御保守稼動を軽減することができた。また、２つの光マトリクススイッチの規模を小さくすることにより、光マトリクススイッチの低価格化、高信頼化が実現できた。
【００４１】
（実施の形態５）
本発明の実施の形態である光分岐挿入装置の構成を図９に示す。図９は、信号光伝達の片方向分の光分岐挿入装置の構成である。図９において、１１は隣接する光分岐挿入装置からの波長多重された信号光が伝達される第一の光伝送路、１２は波長多重された信号光を分離する光分波器、１３はｔｈｒｏｕｇｈ結合かａｄｄ  ＆  ｄｒｏｐ結合かを選択できる図３に示す光分岐挿入スイッチ、１４は波長の異なる信号光を波長多重する光合波器、１５は隣接する光分岐挿入装置に向かって波長多重された信号光を伝達する第二の光伝送路、１６はネットワークの外から入力される信号を光伝送路で伝達される信号光に変換する挿入側インタフェース部、１７はネットワークからの信号光をネットワークの外に出力する信号に変換する分岐側インタフェース部、２０は信号光を光伝送路で伝達される任意の波長の信号光に波長変換する波長変換部、２１は第一の光マトリクススイッチ、２２は第二の光マトリクススイッチである。第一の光マトリクススイッチ２１と第二の光マトリクススイッチ２２はノンブロッキングのｍ×ｎマトリクス構成あるいはこれと等価な構成であり、そのクロスポイントの切替は外部の制御装置から制御できる。波長変換部２０の変換する波長も外部の制御装置から制御できる。
【００４２】
図９で説明する光分岐挿入装置は実施の形態２で説明した光分岐挿入装置と同じ動作をする。即ち、第一の光伝送路１１を伝達してきた信号光と挿入側インタフェース部１６から出力された信号光とのいずれかが光分岐挿入回路１３で選択されて第二の光伝送路１５に送出される。挿入側インタフェース部１６からの信号光が選択されて第二の光伝送路１５に送出されると、第一の光伝送路１１からの信号光は第二の光マトリクススイッチ２２に出力される。挿入側インタフェース部１６からの信号光をどの波長に変換するかによって、波長変換部２０の変換する波長を制御し、第一の光マトリクススイッチ２１の入力ポートと出力ポートの結合を制御する。第二の光マトリクススイッチ２２に入力された光分岐挿入スイッチ１３からの信号光は、光マトリクススイッチ２２で入力ポートから出力ポートへの結合が制御されて所定の分岐側インタフェース部１７に出力される。
【００４３】
このような構成とすることにより、波長変換部２０と第一の光マトリクススイッチ２１によって、挿入側信号を任意の波長で挿入して送信することができ、又、第二の光マトリクススイッチ２２によって、伝送路を伝達してきた信号光を任意の分岐側インタフェース部１７から分岐側信号として出力することができる。
【００４４】
実施の形態２における光分岐挿入装置と本実施の形態における光分岐挿入装置との差は、挿入側インタフェース部１６の数及び分岐側インタフェース部１７の数である。つまり、第一の光マトリクススイッチ２１の入力ポートの数は出力ポートの数よりも少なく、また、第二の光マトリクススイッチ２２の出力ポートの数は入力ポートの数よりも少なく構成されている。ネットワークに挿入する信号の数と、ネットワークから分岐する信号の数に制限ができるが、２つの光マトリクススイッチの入力ポートや出力ポートを少なくして規模を小さくすることにより、光マトリクススイッチの低価格化、高信頼化が実現できる。
【００４５】
ここでは、光分波器１２の出力線数、光合波器１４の入力線数、光分岐挿入スイッチ１３の数はそれぞれ４とし、挿入側インタフェース部１６の数、分岐側インタフェース部１７の数、波長変換部２０の数はそれぞれ３としている。この結果、光分波器１２の出力線からの信号光の総てを光合波器１４の入力線に出力することが可能になり、挿入側インタフェース部１６からの信号光のうち３つを波長変換して光合波器１４の入力線に出力し、光分波器１２の出力線からの信号光のうち３つを分岐側インタフェース部１７に出力することが可能になる。なお、発明の実施は、この数に限定されるものではない。また、挿入側インタフェース部１６と波長変換部２０を一体化してもよい。
【００４６】
従って、本実施の形態の光分岐挿入装置では、光レベルでパスの設定を行うことができるため、制御装置からの遠隔制御により光パスの設定、変更が可能となり、ネットワークの制御保守稼動を軽減することができた。また、２つの光マトリクススイッチの規模を小さくすることにより、光マトリクススイッチの低価格化、高信頼化が実現できた。さらに、実施の形態４に比較して波長変換部の数を削減することができた。
【００４７】
（実施の形態６）
本発明の実施の形態である光分岐挿入装置の構成を図１０に示す。図１０は、信号光伝達の片方向分の光分岐挿入装置の構成である。図１０において、１１は隣接する光分岐挿入装置からの波長多重された信号光が伝達される第一の光伝送路、１２は波長多重された信号光を分離する光分波器、１３はｔｈｒｏｕｇｈ結合かａｄｄ＆  ｄｒｏｐ結合かを選択できる図３に示す光分岐挿入スイッチ、１４は波長の異なる信号光を波長多重する光合波器、１５は隣接する光分岐挿入装置に向かって波長多重された信号光を伝達する第二の光伝送路、１７はネットワークからの信号光をネットワークの外に出力する信号に変換する分岐側インタフェース部、１８は光伝送路に送出する信号を光伝送路で伝達される信号光であって任意の波長で出力する挿入側信号変換部、２１は第一の光マトリクススイッチ、２２は第二の光マトリクススイッチである。第一の光マトリクススイッチ２１と第二の光マトリクススイッチ２２はノンブロッキングのｍ×ｎマトリクス構成あるいはこれと等価な構成であり、そのクロスポイントの切替は外部の制御装置から制御できる。挿入側信号変換部１８の変換する波長も外部の制御装置から制御できる。
【００４８】
図１０で説明する光分岐挿入装置は実施の形態３で説明した光分岐挿入装置と同じ動作をする。即ち、第一の光伝送路１１を伝達してきた信号光と挿入側信号変換部１８から出力された信号光とのいずれかが光分岐挿入回路１３で選択されて第二の光伝送路１５に送出される。挿入側信号変換部１８からの信号光が選択されて第二の光伝送路１５に送出されると、第一の光伝送路１１からの信号光は第二の光マトリクススイッチ２２に出力される。挿入側信号をどの波長で送信するかによって、挿入側信号変換部１８の出力する波長を制御し、第一の光マトリクススイッチ２１の入力ポートと出力ポートの結合を制御する。第二の光マトリクススイッチ２２に入力された光分岐挿入スイッチ１３からの信号光は、光マトリクススイッチ２２で入力ポートから出力ポートへの結合が制御されて所定の分岐側インタフェース部１７に出力される。
【００４９】
このような構成とすることにより、挿入側信号変換部１８と第一の光マトリクススイッチ２１によって、挿入側信号を任意の波長で挿入して送信することができ、又、第二の光マトリクススイッチ２２によって、伝送路を伝達してきた信号光を任意の分岐側インタフェース部１７から分岐側信号として出力することができる。
【００５０】
実施の形態３における光分岐挿入装置と本実施の形態における光分岐挿入装置との差は、挿入側信号変換部１８の数及び分岐側インタフェース部１７の数である。つまり、第一の光マトリクススイッチ２１の入力ポートの数は出力ポートの数よりも少なく、また、第二の光マトリクススイッチ２２の出力ポートの数は入力ポートの数よりも少なく構成されている。ネットワークに挿入する信号の数と、ネットワークから分岐する信号の数に制限ができるが、２つの光マトリクススイッチの入力ポートや出力ポートを少なくして規模を小さくすることにより、光マトリクススイッチの低価格化、高信頼化が実現できる。
【００５１】
ここでは、光分波器１２の出力線数、光合波器１４の入力線数、光分岐挿入スイッチ１３の数はそれぞれ４とし、分岐側インタフェース部１７の数、挿入側信号変換部１８の数をそれぞれ３としている。この結果、光分波器１２の出力線からの総ての信号光を光合波器１４の入力線に出力することが可能になり、挿入側信号変換部１８からの信号光のうち３つを光合波器１４の入力線に出力し、光分波器１２の総ての出力線からの信号光のうち３つを分岐側インタフェース部１７に出力することが可能になる。なお、発明の実施は、この数に限定されるものではない。
【００５２】
従って、本実施の形態の光分岐挿入装置では、光レベルでパスの設定を行うことができるため、制御装置からの遠隔制御により光パスの設定、変更が可能となり、ネットワークの制御保守稼動を軽減することができた。また、２つの光マトリクススイッチの規模を小さくすることにより、光マトリクススイッチの低価格化、高信頼化が実現できた。さらに、実施の形態４、５に比較して波長変換部を不要とすることができた。
【００５３】
（実施の形態７）
本願発明の実施の形態における光マトリクススイッチは、ノンブロキングでかつ信号光のまま方路設定ができる構成であれば適用が可能である。このような光マトリクススイッチとしては、２次元ＭＥＭＳ（Ｍｉｃｒｏ  Ｅｌｅｃｔｒｏ−Ｍｅｃｈａｎｉｃａｌ  Ｓｗｉｔｃｈ）、３次元ＭＥＭＳ、石英導波路上に熱光学効果型光スイッチ（ＴＯ−ＳＷ）を集積した構成がある。またｏｌｉｖｅスイッチ（参考文献：佐藤誠他、“熱毛細管現象を用いた交差導波路型マイクロ光スイッチの開発”、ＮＴＴ  Ｒ＆Ｄ、Ｖｏｌ．４８、１月号、ｐｐ．９−１４）、跳ね橋型スイッチ（参考文献：Ｔａｋｅｓｈｉ  Ｓａｉｔｏ他、”Ｍｅｃｈａｎｉｃａｌ  ｏｐｔｉｃａｌ  ｓｗｉｔｃｈ  ｕｓｉｎｇ  ｆｌｅｘｉｂｌｅ  ｐｏｌｙｍｅｒｉｃ  ｗａｖｅｇｕｉｄｅ”，  Ｔｅｃｈｎｉｃａｌ  Ｄｉｇｅｓｔ，  ＯＦＣ２００２，  ＴｕＣ２，  ｐｐ．１４−１５）等のクロス状に配置された導波路の各叉点において、信号光をそのまま通過させるか、又は交叉する導波路に結合させるかを切り替える構造の光マトリクススイッチであれば、本発明に適用することができる。
【００５４】
５×５の２次元ＭＥＭＳの構成を図１１に示す。図１１において、３０はＭＥＭＳミラー素子、３１、３３は入出力ポートである。これらの入出力ポートはいずれも光ファイバコリメータを備える。光ファイバコリメータは光ファイバからの光線を平行光線として出射したり、平行光線を光ファイバに収束させたりする機能を持つ。光ファイバコリメータにより、各入出力ポートからの信号光は平行光線で出射し、平行光線が光ファイバコリメータに入射すると、接続する光ファイバに集光されるように調整されている。ＭＥＭＳミラー素子３０は各入出力ポートの交点に配置され、外部からの制御でＯｎ状態にしたり、Ｏｆｆ状態にしたりすることができる。ここでは、５×５の２次元ＭＥＭＳの構成を示したが、ＭＥＭＳの構成はこの例に限定されるものではない。３次元ＭＥＭＳは立体的に構成されたものである。例えば、壷井修他、“低電圧動作を特長とした３次元型光スイッチ用２軸櫛歯駆動型ＭＥＭＳミラーアレイ”、２００２年電子情報通信学会ソサイエティ大会、Ｂ−１２−３、ｐ．４４３、または竹内真一他、“小型・組立簡易３次元ＭＥＭＳ光スイッチングファブリックの開発”、２００２年電子情報通信学会ソサイエティ大会、Ｂ−１２−４、ｐ．４４４に開示されている３次元ＭＥＭＳの構成もノンブロッキングなマトリクス光スイッチであり、本発明に適用することができる。
【００５５】
ＭＥＭＳミラー素子３０がＯｎ状態の場合、ミラーが露出し、信号光を交差する入出力ポートに反射する。ＭＥＭＳミラー素子３０がＯｆｆ状態の場合、ミラーは隠蔽されて信号を通過させる。例えば、図１１におけるＭＥＭＳミラー３０をマトリクス（ｍ、ｎ）で表現する。（１、２）ＭＥＭＳミラーがＯｎ状態とすると、入出力ポート３１−１から出射した信号光はＭＥＭＳミラーで反射されて、入出力ポート３３−２に入射する。反対に、入出力ポート３３−２から出射した信号光はＭＥＭＳミラーで反射されて、入出力ポート３１−１に入射する。このように、ｎ×ｎの２次元ＭＥＭＳでは、入出力ポート３１からの信号光は総ていずれかの入出力ポート３３に出力することができ、入出力ポート３３からの信号光は総ていずれかの入出力ポート３１に出力することができる。
【００５６】
３×５の２次元ＭＥＭＳの構成を図１２に示す。図１２において、３０はＭＥＭＳミラー素子、３１、３３は入出力ポートである。これらの入出力ポートはいずれも光ファイバコリメータを備える。ＭＥＭＳミラー素子３０は各入出力ポートの交点に配置され、外部からの制御でＯｎ状態にしたり、Ｏｆｆ状態にしたりすることができる。３×５の２時元ＭＥＭＳでは、入出力ポート３１からの信号光は総ていずれかの入出力ポート３３に出力することができるが、入出力ポート３３からの信号光を入出力ポート３１に出力する場合には数に制限が生じる。しかし、ＭＥＭＳミラーの数は５分の３に削減することができ、ＭＥＭＳの低価格化、高信頼化が実現できた。
【００５７】
ここでは、３×５の２次元ＭＥＭＳの構成を示したが、ＭＥＭＳの構成はこの例に限定されるものではない。３次元ＭＥＭＳは立体的に構成されたものである。例えば、壷井修他、“低電圧動作を特長とした３次元型光スイッチ用２軸櫛歯駆動型ＭＥＭＳミラーアレイ”、２００２年電子情報通信学会ソサイエティ大会、Ｂ−１２−３、ｐ．４４３、または竹内真一他、“小型・組立簡易３次元ＭＥＭＳ光スイッチングファブリックの開発”、２００２年電子情報通信学会ソサイエティ大会、Ｂ−１２−４、ｐ．４４４に開示されている３次元ＭＥＭＳの構成もノンブロッキングなマトリクス光スイッチであり、本発明に適用することができる。
【００５８】
従って、ＭＥＭＳを光マトリクススイッチとして使用すると、先の実施の形態で説明した光分岐挿入装置を構成することができる。
【００５９】
（実施の形態８）
２次元ＭＥＭＳと同等の機能を有する光マトリクススイッチを石英導波路型光スイッチで構成することができる。石英導波路型光スイッチの構成要素となる２×２光スイッチの切替動作を図１３で説明する。図１３において、３８−１、３８−２は入力端子、３８−３、３８−４は出力端子である。図１３において、バー状態では入力端子３８−１は出力端子３８−３に結合され、入力端子３８−２は出力端子３８−４に結合される。クロス状態では、入力端子３８−１は出力端子３８−４に結合され、入力端子３８−２は出力端子３８−３に結合される。
【００６０】
図１３の２×２光スイッチを構成要素とする石英導波路型光スイッチの構成を図１４に示す。図１４において、３５、３７は入出力ポート、３９は石英導波路型光スイッチの構成要素である２×２光スイッチである。入出力ポート３５、３７はいずれも光ファイバコリメータを備える。２×２光スイッチ３９は熱によって石英導波路の光学定数が変化して切替動作をする熱光学効果型光スイッチである。切替動作は２×２光スイッチ３９がバー状態とクロス状態のいずれかによって決定される。
【００６１】
図１４において、それぞれの２×２光スイッチの切替動作を制御することにより、入出力ポート３５は任意の入出力ポート３７と結合できる。この光マトリクススイッチの動作は、２×２光スイッチのバー状態とクロス状態をそれぞれ、図１１におけるＭＥＭＳミラー素子のＯｎ状態、Ｏｆｆ状態と対応させれば、図１１の２次元ＭＥＭＳの動作と全く等価となる。従って、前述した光分岐挿入装置に石英導波路型光スイッチを適用することができた。ここでは、５×５の光マトリクススイッチで説明したが、５×５に限定されるものではない。
【００６２】
図１２のＭＥＭＳに対応する３×５の石英導波路型光スイッチの構成を図１５に示す。図１５に示す石英導波路型光スイッチの動作は図１２のＭＥＭＳと全く等価である。
【００６３】
また、前記ｏｌｉｖｅスイッチ、跳ね橋型スイッチ等のクロス状に配置された導波路の各叉点において、信号光を通過させるか、交叉する導波路に結合させるかを切り替える構造の光マトリクススイッチも、図１１のＭＥＭＳ等と同等の機能を持つ光マトリクススイッチを構成することができる。従って、このような構成の光マトリクススイッチを前述の光分岐挿入装置に適用すると、ＭＥＭＳを適用した光分岐挿入装置と同等の機能を実現することができる。
【００６４】
【発明の効果】
以上説明したように、本発明によれば、光分岐挿入装置において光レベルで自由にパスの設定ができるため、制御装置からの遠隔制御により光パスの設定、変更が可能になった。
【図面の簡単な説明】
【図１】光分岐挿入型リングネットワークの構成を説明する図である。
【図２】従来の光分岐挿入装置の構成を説明する図である。
【図３】従来の光分岐挿入スイッチを説明する図である。
【図４】光分岐挿入装置間を結ぶ経路の途中にある既設の光パスの波長を変更する例を説明する図である。
【図５】本発明の実施の形態である光分岐挿入装置の構成を説明する図である。
【図６】本発明の他の実施の形態である光分岐挿入装置の構成を説明する図である。
【図７】本発明の他の実施の形態である光分岐挿入装置の構成を説明する図である。
【図８】本発明の他の実施の形態である光分岐挿入装置の構成を説明する図である。
【図９】本発明の他の実施の形態である光分岐挿入装置の構成を説明する図である。
【図１０】本発明の他の実施の形態である光分岐挿入装置の構成を説明する図である。
【図１１】２次元ＭＥＭＳの構成を説明する図である。
【図１２】２次元ＭＥＭＳの構成を説明する図である。
【図１３】石英導波路の２×２光スイッチの動作を説明する図である。
【図１４】石英導波路型光スイッチで光マトリクススイッチを構成した例を説明する図である。
【図１５】石英導波路型光スイッチで光マトリクススイッチを構成した例を説明する図である。
【符号の説明】
１１：第一の光伝送路
１２：光分波器
１３：光分岐挿入スイッチ
１４：光合波器
１５：第二の光伝送路
１６：挿入側インタフェース部
１７：分岐側インタフェース部
１８：挿入側信号変換部
２０：波長変換部
３０：ＭＥＭＳミラー素子
３１、３３：入出力ポート
３５、３７：入出力ポート
３８：入力端子、出力端子
３９：２×２光スイッチ
８１：光分岐挿入装置
８２：光伝送路
８３：挿入側信号
８４：分岐側信号
９１：第一の光伝送路
９２：光分波器
９３：光分岐挿入スイッチ
９４：光合波器
９５：第二の光伝送路
９６：挿入側インタフェース部
９７：分岐側インタフェース部
【図１】
2004153307.tif 000003
【図２】
2004153307.tif 000004
【図３】
2004153307.tif 000005
【図４】
2004153307.tif 000006
【図５】
2004153307.tif 000007
【図６】
2004153307.tif 000008
【図７】
2004153307.tif 000009
【図８】
2004153307.tif 000010
【図９】
2004153307.tif 000011
【図１０】
2004153307.tif 000012
【図１１】
2004153307.tif 000013
【図１２】
2004153307.tif 000014
【図１３】
2004153307.tif 000015
【図１４】
2004153307.tif 000016
【図１５】
2004153307.tif 000017